(57)【要約】【課題】単色ばかりでなく、２色以上のインキが重なり合って表現される色も適正にコントロールでき、長時間の印刷においても適切なインキキー制御を可能とする印刷制御方法および印刷制御装置を提供する。【解決手段】カラーバーを構成するパッチを測定して得られる色管理データに基づいてオフセット印刷機のインキキー開度を調節する印刷制御方法において、予め定めた色管理データの目標値を、インキトラッピングの変化を表す量に基づいて制御する印刷制御方法。このインキトラッピングの変化は、例えばＣ１００％とＭ１００％の掛け合わせパッチを測定した結果から算出される均等色空間における色相角と目標とする色相角との変化量で判断する。【選択図】図１
2006159416.tif 000002
【特許請求の範囲】
【請求項１】
カラーバーを構成するパッチを測定して得られる色管理データに基づいてオフセット印刷機のインキキー開度を調節する印刷制御方法において、
予め定めた色管理データの目標値を、インキトラッピングの変化を表す量に基づいて制御する印刷制御方法。
【請求項２】
前記インキトラッピングの変化は、ＣとＭの掛け合わせパッチと、ＣとＹの掛け合わせパッチと、ＭとＹの掛け合わせパッチを測定した結果から算出される均等色空間における色相角と目標とする色相角との変化量である請求項１記載の印刷制御方法。
【請求項３】
前記インキトラッピングの変化は、Ｃ１００％とＭ１００％の掛け合わせパッチと、Ｃ１００％とＹ１００％の掛け合わせパッチと、Ｍ１００％とＹ１００％の掛け合わせパッチを測定した結果から算出される均等色空間における色相角と目標とする色相角との変化量である請求項１記載の印刷制御方法。
【請求項４】
前記インキトラッピングの変化は、Ｃ１００％とＭ１００％の掛け合わせパッチと、Ｃ１００％とＹ１００％の掛け合わせパッチと、Ｍ１００％とＹ１００％の掛け合わせパッチと、Ｃ１００％の単色パッチと、Ｍ１００％の単色パッチと、Ｙ１００％の単色パッチを測定し、それぞれを次式に代入して得られるインキトラッピング率である請求項１記載の印刷制御方法。
インキトラッピング率＝｛（２色が重ね合ったパッチの後刷りインキ濃度）−（先刷りインキ単色パッチの後刷りインキ濃度）｝／（後刷りインキ単色パッチの後刷りインキ濃度）
【請求項５】
前記インキトラッピング率を算出するために測定されるパッチは、カラーバー内において、Ｃ１００％とＭ１００％の掛け合わせパッチの両端にＣ１００％とＭ１００％の単色パッチが配置され、Ｃ１００％とＹ１００％の掛け合わせパッチの両端にＣ１００％とＹ１００％の単色パッチが配置され、Ｍ１００％とＹ１００％の掛け合わせパッチの両端にＭ１００％とＹ１００％の単色パッチが配置されたパッチである請求項４記載の印刷制御方法。
【請求項６】
前記色管理データは、６０％〜８５％の間の平網パッチを測定して得られるデータである請求項１〜５の何れかに記載の印刷制御方法。
【請求項７】
カラーバーを構成するパッチを測定して得られる色管理データに基づいてオフセット印刷機のインキキー開度を調節する印刷制御装置において、
予め定めた色管理データの目標値を、インキトラッピングの変化を表す量に基づいて制御する手段を有する印刷制御装置。
【請求項８】
前記インキトラッピングの変化は、ＣとＭの掛け合わせパッチと、ＣとＹの掛け合わせパッチと、ＭとＹの掛け合わせパッチを測定した結果から算出される均等色空間における色相角と目標とする色相角との変化量である請求項７記載の印刷制御装置。
【請求項９】
前記インキトラッピングの変化は、Ｃ１００％とＭ１００％の掛け合わせパッチと、Ｃ１００％とＹ１００％の掛け合わせパッチと、Ｍ１００％とＹ１００％の掛け合わせパッチを測定した結果から算出される均等色空間における色相角と目標とする色相角との変化量である請求項７記載の印刷制御装置。
【請求項１０】
前記インキトラッピングの変化は、Ｃ１００％とＭ１００％の掛け合わせパッチと、Ｃ１００％とＹ１００％の掛け合わせパッチと、Ｍ１００％とＹ１００％の掛け合わせパッチと、Ｃ１００％の単色パッチと、Ｍ１００％の単色パッチと、Ｙ１００％の単色パッチを測定した結果を次式に代入して得られるインキトラッピング率である請求項７記載の印刷制御装置。
インキトラッピング率＝｛（２色が重ね合ったパッチの後刷りインキ濃度）−（先刷りインキ単色パッチの後刷りインキ濃度）｝／（後刷りインキ単色パッチの後刷りインキ濃度）
【請求項１１】
前記インキトラッピング率を算出するために測定されるパッチは、カラーバー内において、Ｃ１００％とＭ１００％の掛け合わせパッチの両端にＣ１００％とＭ１００％の単色パッチが配置され、Ｃ１００％とＹ１００％の掛け合わせパッチの両端にＣ１００％とＹ１００％の単色パッチが配置され、Ｍ１００％とＹ１００％の掛け合わせパッチの両端にＭ１００％とＹ１００％の単色パッチが配置されたパッチである請求項１０記載の印刷制御装置。
【請求項１２】
前記色管理データは、６０％〜８５％の間の平網パッチを測定して得られるデータである請求項７〜１１の何れかに記載の印刷制御装置。
【発明の詳細な説明】
【技術分野】
【０００１】
本発明は、オフセット印刷機によって印刷された各印刷物について色管理データを測定し、測定された色管理データに基づいて、適正なインキキー制御を可能とする印刷制御方法および印刷制御装置に関する。
【背景技術】
【０００２】
印刷品質の向上を実現する印刷制御方法として、印刷機によって印刷された複数の印刷物について色管理データを測定し、この複数の色管理データが目標値から定まる許容範囲に含まれるように、印刷機を制御する印刷制御方法がある。この目標値を設定するための印刷目標値の設定方法としては、予め決められた基準値を設定する第１の方法、印刷開始後にオペレータが色合わせを行って得られたＯＫシートの色管理データを目標値として設定する第２の方法などが用いられている。
【０００３】
色管理データは、印刷物の余白部分に配置された墨（Ｋ）、藍（Ｃ）、紅（Ｍ）、黄（Ｙ）などのカラーパッチを含むカラーバー又は実際の絵柄を測定して得られ、一般的には、濃度値又は測色値を表す。
【０００４】
印刷品質を管理するために必要な目標値は、濃度値又は測色値に基づいて設定され、例えば、オフセット印刷において、上記第１の方法のように予め決められた基準値を設定する場合、一般的には、印刷会社独自の基準値が用いられるか、あるいは一般的に広く知られた業界基準の基準値が用いられる。国内の業界基準としては、ISO/Japan Colorのオフセット枚葉印刷色標準、Japan Color色再現印刷2001（日本印刷学会）などが知られている。
【０００５】
予め決められた基準値を設定する第１の方法は、欧米で一般に普及しており、米国ではSWOP（Specifications for Web Offset Publications）が基準値として用いられている。
【０００６】
近年、日本でも、ほぼ均一な印刷品質を誰でも安定して得られるなどの利点があるため、急速に基準値に基づく印刷制御に関心が高まり、印刷物についての色管理データを所望の目標値に合うように印刷機を制御する印刷制御装置が市販されている。枚葉オフセット印刷機では、印刷物の余白部分にレイアウトされたカラーバーの色管理データをオフラインで測定し、この色管理データに基づいてインキキーを制御するオフライン型の印刷制御装置が実用化され、また、オフセット輪転印刷機では、印刷物の余白部分にレイアウトされたカラーバーの色管理データをインラインで測定し、この色管理データに基づいてインキキーを制御するインライン型の印刷制御装置が実用化され、それぞれ市販されている。
【０００７】
これらの印刷制御装置は、印刷中に測定された色管理データが目標値に基づいて定まる許容範囲内に含まれるように（目標に合うように）インキキーを制御し、適切なインキ量への調整を行う。
【０００８】
このような印刷制御装置に、予め決められた基準値を設定しておき、印刷を開始することにより、測定された色管理データが許容範囲内となる印刷物を安定して得ることが可能である。
【０００９】
印刷刷り出しにおいて、基準値を用いた印刷制御方法を用いると、常時均等な印刷品質に素早く調整可能であるが、実際の印刷ではインキロットの違いによる色の差、様々な用紙の使用、また日々の印刷機の微妙な状態変化などを原因として、印刷物の色調やトーンが常に微妙に変化してしまう。このため、印刷刷り出しにおいて目標値を用いて印刷制御を行ったとしても、色調やトーンが色見本に合うとは限らないため、色見本に色調やトーンが合わない場合、オペレータの微妙な調子合わせが必要となる。
【００１０】
オペレータは、目視で印刷物をチェックしながら、上記の様々な原因による色調やトーンの変化を適宜把握し、必要であれば適切に調子合わせを行い、色見本に合う表現豊かな印刷物（ＯＫシート）を得ることが可能である。そこで、予め決められた基準値を目標に印刷を開始した後に、オペレータによる調子合わせによって得られたＯＫシート、あるいはこのＯＫシート近辺の印刷物の色管理データが測定され、この色管理データが目標値として使用される。この目標値の設定が、上記第２の方法である。
【００１１】
なお、第２の方法には、刷り出し時からオペレータによって調子合わせが行われ、ＯＫシートが作成されるケースも含まれる。
【００１２】
ＯＫシートに対応する色管理データに基づいて設定された目標値を用いて印刷制御が行われた場合、以降の印刷物についてＯＫシートから変化した分だけＯＫシートの状態に戻す制御が実行されるので、ＯＫシートに類似した印刷物が得られ、品質のよい印刷物を刷了まで得ることが可能である。（例えば、特許文献１参照。）
【００１３】
特に、オフライン又はインライン型の印刷制御装置が用いられる場合においては、ＯＫシートに対応する色管理データに基づいてインキ量を制御することにより、スキルレスで安定的にＯＫシートに類似した印刷物を得ることが可能であり有効である。
【００１４】
【特許文献１】特開２００３−１９１４４３号公報
【発明の開示】
【発明が解決しようとする課題】
【００１５】
以上説明したようなカラーバーを用いたオフセット印刷機のインキキー開度調節法において、長時間印刷を続ける間に、ＣＭＹＫ各単色は同じ色に保たれていても、２次色や３次色の色が変化してしまうといった現象が生じる場合がある。これは、長時間印刷を続ける間にインキの粘度やタック値（インキが引き裂かれる時の抵抗力）が変化し、先刷りインキの上に後刷りインキが転移する率（インキトラッピング率）が変わってしまうことに起因すると考えられる。
【００１６】
また、特許文献１には、カラーバーを用いたオフセット印刷機のインキキー開度調節法において、色管理データとして、ＣＭＹＫ各色のベタ濃度の代わりにＣＭＹＫ各色の６０％から８５％の間の平網濃度を測定して目標濃度との偏差を算出し、それに基づいてインキキー開度を調節する方法が開示されており、この方法は絵柄のトーンが合った印刷物が作成できることが説明されている。
【００１７】
この方法の特徴は、長時間印刷を続ける間にインキの粘度が変化したり、ブランケット上にインキ・紙粉などの汚れが堆積することにより、印刷される網点の大きさが変わるが、インキの膜厚を調節することによりそれを相殺し、同じトーンを保持することにある。つまり、網点の大きさの変化が大きくなる程、インキ膜厚調節量も大きくなる。
【００１８】
一方で、一般の商業オフセット印刷で使用されるプロセスインキは、２色以上のインキが重なって印刷された時に一定の色を再現するように、各インキのタック値（インキが引き裂かれる時の抵抗力）を設計されている。インキのタック値はインキ膜厚やインキ粘度によって変化するため、インキ膜厚が大きく変化するとタック値の変化も大きくなり、先刷りインキの上に後刷りインキが転移する率（インキトラッピング率）が変わるため、２色以上のインキが重なり合って表現される色が変化する場合がある。
【００１９】
本発明は、上記の問題点を解決するために、２色以上のインキが重なり合って表現される色をも適正にコントロールでき、長時間の印刷においても適切なインキキー制御を可能とする印刷制御方法および印刷制御装置を提供することにある。
【課題を解決するための手段】
【００２０】
本発明を実現するにあたって講じた具体的手段について以下に説明する。
本発明の一例における印刷制御方法は、カラーバーを構成するパッチを測定して得られる色管理データに基づいてオフセット印刷機のインキキー開度を調節する印刷制御方法において、予め定めた色管理データの目標値を、インキトラッピングの変化を表す量に基づいて制御する印刷制御方法としたものである。
【００２１】
このように、インキトラッピングの変化に応じて色管理データの目標値を柔軟に上げ下げすることで、長時間の印刷制御においても、インキトラッピングの変動による２次色、３次色の色変化を低減するための適切な目標値を設定できる。
【００２２】
より具体的には、インキトラッピングの変化を、ＣとＭの掛け合わせパッチと、ＣとＹの掛け合わせパッチと、ＭとＹの掛け合わせパッチを測定した結果から算出される均等色空間における色相角と目標とする色相角との変化量で表すことで制御ができる。
【００２３】
より好ましくは、インキトラッピングの変化は、Ｃ１００％とＭ１００％の掛け合わせパッチと、Ｃ１００％とＹ１００％の掛け合わせパッチと、Ｍ１００％とＹ１００％の掛け合わせパッチを測定した結果から算出される均等色空間における色相角と目標とする色相角との変化量で表すことで制御ができる。これは、１００％同士の掛け合わせパッチとすることで、用紙の影響受けずに、純粋に先刷りインキの上に後刷りインキが転移する率を評価できるためである。その意味では、少なくとも先刷りインキを１００％とすることが望まれる。
【００２４】
また、別の具体的な方法では、Ｃ１００％とＭ１００％の掛け合わせパッチと、Ｃ１００％とＹ１００％の掛け合わせパッチと、Ｍ１００％とＹ１００％の掛け合わせパッチと、Ｃ１００％の単色パッチと、Ｍ１００％の単色パッチと、Ｙ１００％の単色パッチを測定し、それぞれを次式に代入して得られるインキトラッピング率を求めることで出来る。
【００２５】
インキトラッピング率＝｛（２色が重ね合ったパッチの後刷りインキ濃度）−（先刷りインキ単色パッチの後刷りインキ濃度）｝／（後刷りインキ単色パッチの後刷りインキ濃度）
【００２６】
この時、インキトラッピング率を算出するために測定されるパッチは、カラーバー内において、Ｃ１００％とＭ１００％の掛け合わせパッチの両端にＣ１００％とＭ１００％の単色パッチが配置され、Ｃ１００％とＹ１００％の掛け合わせパッチの両端にＣ１００％とＹ１００％の単色パッチが配置され、Ｍ１００％とＹ１００％の掛け合わせパッチの両端にＭ１００％とＹ１００％の単色パッチが配置されたパッチとすることが、より効果的である。
【００２７】
トラッピング率を算出するパッチを隣り合わせでカラーバー内に配置することで、より正確なトラッピング率を算出することができる。
また、本発明の目標値の制御を施すことで、色管理データとして、タック値の変化がより大きくなる、６０％〜８５％の間の平網パッチを用いた場合に、より効果的である。
【発明の効果】
【００２８】
本発明においては、インキトラッピングの変化に応じて色管理データの目標値を柔軟に上げ下げすることができ、長時間の印刷制御においても、インキトラッピングの変動による２次色、３次色の色変化を低減するための適切な目標値を設定できる。
【００２９】
そして、墨（Ｋ）、藍（Ｃ）、紅（Ｍ）、黄（Ｙ）のわずかなバランスの変化が色調変化として現れやすい絵柄などにおいてバランスが崩れることを防止し、色見本に類似した高品質な印刷物を得ることができる。
【発明を実施するための最良の形態】
【００３０】
本実施の形態では、主に、色管理データは濃度値を表すとして説明を行うが、測色値を表すとしてもよい。
【００３１】
図１は、本実施の形態に係る印刷制御方法を実施する印刷制御装置の一例を示すブロック図である。
【００３２】
この図１では、印刷制御装置１をインキキー制御装置２に対して適用し、印刷機（オフセット輪転機）３に取り付けた場合の例を示している。
【００３３】
印刷制御装置１は、取得部４、指定受付部５、抽出部６、算出部７、設定部８、制御実行部９、表示部１０を具備する。
【００３４】
測定ヘッド１１ａ，１１ｂは、印刷機３に具備されている墨（Ｋ）、藍（Ｃ）、紅（Ｍ）、黄（Ｙ）の各印刷ユニット１２〜１５を通過した後のウェブ１６の色管理データを測定する。各印刷ユニット１２〜１５には、ブランケット胴１７、版胴１８、インキローラ１９が具備されている。なお、図１では、印刷ユニット１２についてのみブランケット胴１７、版胴１８、インキローラ１９の符号を付し、他の印刷ユニット１３〜１５については符号を省略している。
【００３５】
取得部４は、測定ヘッド１１ａ，１１ｂで測定された各色管理データを取得する。なお、取得された色管理データの履歴は、図示しない記録部に記録するとしてもよい。
【００３６】
指定受付部５は、オペレータからのＯＫシートの指定を受け付ける。あるいは、各色の目標となる濃度値を受け付ける。
【００３７】
抽出部６は、ＯＫシートの指定に基づいて、取得された色管理データの中から、ＯＫシートに対応する色管理データと、このＯＫシートの指定に基づいて決定される他の少なくとも一つの色管理データとを抽出する。
【００３８】
他の色管理データは所定の規則にしたがって抽出される。例えば、ＯＫシートの印刷前の数枚、ＯＫシートの印刷後の数枚、ＯＫシートの印刷前後の数枚について測定された色管理データを抽出する。また、例えば、ＯＫシートの印刷時点より所定時間前の時点、後の時点、前の時点と後の時点の双方で測定された色管理データを抽出するとしてもよい。また、所定間隔をあけて色管理データを抽出するとしてもよい。
【００３９】
算出部７は、抽出された複数の色管理データに基づいて、あるいは、指定受付部５で指定された目標濃度値に基づいて、各色の目標値を算出する。例えば、算出部７は、抽出された複数の色管理データ間で比較を行い、他のデータとの差が所定のレベルより大きいデータを排除し、残ったデータに基づいて各色の平均値を求め、目標値とする。また、インキトラッピングが変化する量に基づいて目標値を随時コントロールする。
【００４０】
設定部８は、測定ヘッド１１ａ，１１ｂによって測定され、取得された色管理データが目標値によって定まる所定の許容範囲に属するように、例えばインキキー操作量などのような制御実行値を求め、この制御実行値を制御実行部９を介してインキキー制御装置２に出力する。
【００４１】
表示部１０は、現在及び過去の色管理データ、設定されている目標値、ＯＫシートの指定を受け付けるためのＯＫシート指定ボタンなどをグラフィカルに表示する。
【００４２】
図２は、印刷物上（印刷紙面）の測定対象部の一例を示す図である。
ウェブ１６上の印刷レイアウト２０の余白部分に、単色ベタパッチと単色平網パッチとを含むカラーバー２１が配置されている。
【００４３】
インライン型の色調管理装置１では、ウェブ１６に印刷されたカラーバー２１が印刷実行中に測定される。
【００４４】
測定されるパラメータとしては、濃度値を用いてもＣＩＥＬＡＢ値を用いてもよい。以下に、おいては、インキ量と相関が高く、印刷現場で一般的に使用されている濃度値を用いた場合について説明する。
【００４５】
インライン型の印刷制御装置１は、カラーバー２１全体を測定し、測定された色管理データを目標値と比較し、適切なインキ量となるようにインキキー開度を求め、インキキー制御装置２にインキキー開度を出力する。
【００４６】
一般的なインライン型の印刷制御装置では、印刷機の上刷面側、下刷面側のそれぞれに測定ヘッドが１つずつ設けられており、各測定ヘッドは、ウェブを左右に走査し、カラーバー全体を測定する。この場合、各測定ヘッドによるカラーバーの個々のパッチ測定頻度は、１走査に１回である。一般的なインライン型の印刷制御装置では、ウェブの幅にもよるが、１回の走査に約３０秒の時間を要する。このため、カラーバーの個々のパッチ測定頻度は３０秒に１回となる。印刷スピードが１０００RPMの場合には、印刷物５００枚に１回の測定頻度となる。一般的なインライン型の印刷制御装置において、印刷実行中の紙面上のインキ量を適切に調整するためにはこの程度の測定頻度で十分である。
【００４７】
次に、第１の実施の形態について説明する。
まず、商業オフ輪において、用紙走行方向に垂直に配置した、少なくともＣＭＹＫ各色の６０％から８５％の平網パッチと、Ｃ１００％とＭ１００％の掛け合わせパッチと、Ｃ１００％とＹ１００％の掛け合わせパッチと、Ｍ１００％とＹ１００％の掛け合わせパッチの７パッチを含むカラーバーを構成する各パッチの色を、測定ヘッドが走査することにより測定する。
【００４８】
この時、必ずしも１００％同士の掛け合わせパッチである必要はなく、掛け合わせパッチの基準となる色相角がわかっていれば良いが、用紙の影響を抑えるためには、１００％同士の掛け合わせパッチが好ましい。
【００４９】
次にＣ１００％とＭ１００％の掛け合わせパッチと、Ｃ１００％とＹ１００％の掛け合わせパッチと、Ｍ１００％とＹ１００％の掛け合わせパッチの色測定値結果を、均等色空間、例えばＣＩＥＬＡＢ空間にプロットし、その色相角を算出する。この時、目標とする色相角は、予め基準値となる色相角を入力するか、見本となる印刷物の測定結果から算出してもよい。
【００５０】
ここで、Ｃ１００％とＭ１００％の掛け合わせで表現されるＢｌｕｅについて、印刷中に測定され演算された色相角を目標値と比較し、その偏差が閾値を越えた場合には、ＣまたはＭの６０％から８５％の平網パッチの目標濃度を調節する。色相角がプラス方向へ変化した場合は、Ｃの目標濃度を上げるか、Ｍの目標濃度を下げる。色相角がマイナスへ変化した場合は、Ｃの目標濃度を下げるか、Ｍの目標濃度を上げる。
【００５１】
同様に、Ｃ１００％とＹ１００％の掛け合わせで表現されるＧｒｅｅｎについては、色相角が許容幅を越えてプラス方向へ変化した場合は、Ｙの目標濃度を上げるか、Ｃの目標濃度を下げる。色相角がマイナスへ変化した場合は、Ｙの目標濃度を下げるか、Ｃの目標濃度を上げる。
【００５２】
同様に、Ｍ１００％とＹ１００％の掛け合わせで表現されるＲｅｄについては、色相角が許容幅を越えてプラス方向へ変化した場合は、Ｍの目標濃度を上げるか、Ｙの目標濃度を下げる。色相角がマイナスへ変化した場合は、Ｍの目標濃度を下げるか、Ｙの目標濃度を上げる。
【００５３】
ＣＭＹＫ各色のベタ濃度を測定してインキキーをコントロールする場合には、ＣＭＹＫ各色の６５％から８５％の平網パッチの代わりに、ＣＭＹＫ各色の１００％パッチを使用する。
【実施例１】
【００５４】
第１の実施の形態について、ＣＭの掛け合わせＢｌｕｅについて行った実施例を示す。
Ｃ単色の濃度は常に基準濃度に合わせ、Ｍの目標濃度を調整する方法で印刷を行った。閾値と調整量は以下のようにした。なお、この実施例ではベタ濃度をインキキー制御の色管理データとした。
しきい値：ＣＭの掛け合わせＢｌｕｅの場合―――０．０７ｒａｄ
調整量  ：ベタ濃度の場合―――０．０４、８０％濃度の場合―――０．０２５
【００５５】
ＣＩＥＬＡＢのａ−ｂ空間上におけるＯＫシートのＢｌｕｅの色相角を計算すると、−１．２７ｒａｄであった。
【００５６】
印刷中のＣインキ上へのＭインキのインキトラッピング率が変化したために、継続して算出していたＢｌｕｅの色相角が＋０．１０ｒａｄ変化した。そこで、Ｍのベタ濃度目標値を調整量の０．０４下げたところ、Ｂｌｕｅの色相角が−１．２５ｒａｄとなり、ＯＫシートに近い色に戻った。
【００５７】
次に、第２の実施の形態について説明する。なお、この実施の形態では６０％から８５％の間の平網パッチをインキキー制御の色管理データとした。
【００５８】
まず、カラーバーを構成するパッチの設計時に、Ｃ１００％とＭ１００％の掛け合わせパッチの両端にＣ１００％とＭ１００％の単色パッチを、Ｃ１００％とＹ１００％の掛け合わせパッチの両端にＣ１００％とＹ１００％の単色パッチを、Ｍ１００％とＹ１００％の掛け合わせパッチの両端にＭ１００％とＹ１００％の単色パッチを配置した場合は、以下の式によりインキトラッピング率を算出することができる。
【００５９】
インキトラッピング率＝｛（２色が重ね合ったパッチの後刷りインキ濃度）−（先刷りインキ単色パッチの後刷りインキ濃度）｝／（後刷りインキ単色パッチの後刷りインキ濃度）
【００６０】
例えば、Ｃ１００％とＭ１００％の掛け合わせパッチの場合のインキトラッピング率は、以下の通りである。
【００６１】
インキトラッピング率＝｛（Ｃ１００％とＭ１００％の掛け合わせパッチのＭ濃度）−（Ｃ１００％単色パッチのＭ濃度）｝／（Ｍ１００％単色パッチのＭ濃度）
【００６２】
ここで、Ｃ１００％とＭ１００％の掛け合わせで表現されるＢｌｕｅについて、印刷中に測定され演算されたインキトラッピング率を目標値と比較し、その偏差が閾値を越えた場合には、ＣまたはＭの６０％から８５％の間の平網パッチの目標濃度を調節する。インキトラッピング率が上がる方向へ変化した場合は、Ｃの目標濃度を上げるか、Ｍの目標濃度を下げる。インキトラッピング率が下がる方向へ変化した場合は、Ｃの目標濃度を下げるか、Ｍの目標濃度を上げる。
【００６３】
同様に、Ｃ１００％とＹ１００％の掛け合わせで表現されるＧｒｅｅｎについては、インキトラッピング率が許容幅を越えて下がる方向へ変化した場合は、Ｙの目標濃度を上げるか、Ｃの目標濃度を下げる。インキトラッピング率が上がる方向へ変化した場合は、Ｙの目標濃度を下げるか、Ｃの目標濃度を上げる。
【００６４】
同様に、Ｍ１００％とＹ１００％の掛け合わせで表現されるＲｅｄについては、インキトラッピング率が許容幅を越えて上がる方向へ変化した場合は、Ｍの目標濃度を上げるか、Ｙの目標濃度を下げる。インキトラッピング率が下がる方向へ変化した場合は、Ｍの目標濃度を下げるか、Ｙの目標濃度を上げる。
【００６５】
ＣＭＹＫ各色のベタ濃度を測定してインキキーをコントロールする場合には、ＣＭＹＫ各色の６０％から８５％の間の平網パッチの代わりに、ＣＭＹＫ各色の１００％パッチの目標濃度を調節する。
【産業上の利用可能性】
【００６６】
本発明は、オフセット印刷機のインキキー制御に用いることができる。
【図面の簡単な説明】
【００６７】
【図１】本発明の実施の形態に係る印刷制御方法を実施する印刷制御装置の一例を示すブロック図である。
【図２】印刷物における測定対象部の一例を示す図である。
【符号の説明】
【００６８】
１…印刷制御装置、２…インキキー制御装置、３…印刷機、４…取得部、５…指定受付部、６…抽出部、７…算出部、８…設定部、９…制御実行部、１０…表示部、１１ａ、１１ｂ…測定ヘッド、１２〜１５…印刷ユニット、１６…ウェブ、１７…ブランケット胴、１８…版胴、１９…インキローラ、２０…印刷レイアウト、２１…カラーバー
【図１】
2006159416.tif 000003
【図２】
2006159416.tif 000004